(57)【要約】  【課題】  簡単な構成で、部品点数を削減し且つ作業効率を向上させ、さらにはドアの左右方向の偏りを解消した、記録媒体駆動装置の開閉ドア機構を提供する。  【解決手段】  ドア４が閉じた状態では、リブ４ｃの先端部外周面がフロントパネル２の裏面に当接して、リブ４ｃが後方に少し撓んだ状態となっている。この状態ではリブ４ｃによりドア４が閉じる方向に少し付勢されている。ドア４が開いて行くと、これに伴い円弧の中心Ｏが、回転軸４ｂの上側に位置しつつ、フロントパネル２に近づいて行く。これにより、リブ４ｃの撓み量が増加し、リブ４ｃの外周面がフロントパネル２の裏面を徐々に強く圧迫して行くので、その反作用によりドア４が閉じる方向に付勢される力も増加して行く。そして、ドア４が最大に開いた状態となると、リブ４ｃの撓み量も最大となって、ドア４が閉じる方向に付勢される力も最大となる。この構成により、ドア４は常時閉じる方向に確実に付勢される。【選択図】      図４
2006054023.tif 000002
【特許請求の範囲】
【請求項１】
記録媒体を駆動して情報の記録／再生を行う記録媒体駆動装置の、本体側のパネルに形
成された記録媒体の出入口をドアにより開閉する、記録媒体駆動装置の開閉ドア機構にお
いて、
前記ドアの回転軸の周りに、これを取り囲むようにして設けたリブを備え、該リブの外
周面で前記パネルの裏面を押圧することにより、前記ドアを閉じる方向に付勢してなり、
前記リブを円弧状に設け、前記ドアの開き角が大きくなるほど前記リブの円弧の中心が
前記パネルに近づくようにして、前記リブの撓みが大きくなるようにするとともに、
前記リブは前記ドア及び前記回転軸と一体成形されてなることを特徴とする記録媒体駆
動装置の開閉ドア機構。
【請求項２】
記録媒体を駆動して情報の記録／再生を行う記録媒体駆動装置の、本体側のパネルに形
成された記録媒体の出入口をドアにより開閉する、記録媒体駆動装置の開閉ドア機構にお
いて、
前記ドアの回転軸の周りに、これを取り囲むようにして設けたリブを備え、該リブの外
周面で前記パネルの裏面を押圧することにより、前記ドアを閉じる方向に付勢してなるこ
とを特徴とする記録媒体駆動装置の開閉ドア機構。
【請求項３】
前記ドアの開き角が大きくなるほど前記リブの撓みが大きくなるようにしたことを特徴
とする請求項２に記載の記録媒体駆動装置の開閉ドア機構。
【請求項４】
前記リブを円弧状に設け、前記ドアの開き角が大きくなるほど前記リブの円弧の中心が
前記パネルに近づくようにしたことを特徴とする請求項３に記載の記録媒体駆動装置の開
閉ドア機構。
【請求項５】
前記リブは前記ドア及び前記回転軸と一体成形されてなることを特徴とする請求項２〜
請求項４のいずれかに記載の記録媒体駆動装置の開閉ドア機構。
【発明の詳細な説明】
【技術分野】
【０００１】
本発明は、記録媒体駆動装置の開閉ドア機構に関するものであり、更に詳しくは、例え
ばオーディオ機器，ビデオ機器等の記録媒体駆動装置に形成された記録媒体の出入口を開
閉する、記録媒体駆動装置の開閉ドア機構に関するものである。
【背景技術】
【０００２】
従来より、ＣＤやＤＶＤ等の記録媒体に対して情報の記録や再生を行う、記録媒体駆動
装置としてのディスク装置においては、例えばディスクをトレイに載置して装置への出し
入れを行っている。この場合、ディスクの出し入れは、例えば装置のフロントパネルに設
けられた開口部である出入口を介して行われる。ところが、このような出入口を常時開い
た状態にしておくと、外観上の見栄えが悪くなるばかりか、塵埃等がこの出入口から装置
内に侵入して、誤動作等の不具合を引き起こすおそれがある。
【０００３】
そこで、このような不具合を防止するため、従来より、普段は出入口を閉じていてディ
スクが出入りするときのみ出入口を開く、開閉ドア機構がこの出入口に設けられている。
このような構成は、記録媒体がディスクである上記ディスク装置に限らず、記録媒体がオ
ーディオ，ビデオカセットである装置や、ＭＤ等のディスクカートリッジである装置等に
おいても同様にして用いられている。
【０００４】
このような開閉ドア機構は、上記出入口を閉塞することが可能な面積を有するドアをこ
の出入口付近に回動可能に設け、このドアを常時閉方向にバネ部材で付勢する構成となっ
ているものが一般的である。ディスクを出し入れする場合は、例えばトレイが装置内から
ドアを押し開きつつ出入口を経て延伸してくる。そして、ディスクがトレイに載置され或
いはトレイから取り外された後、トレイが引き込まれてドアがバネ付勢により閉じる。或
いは、記録媒体がカセットやカートリッジ等の場合には、記録媒体がドアを押し開きつつ
装置内に押し込まれ、その後ドアがバネ付勢により閉じる構成となっている。
【０００５】
また、ドアを装置本体に軸支させるときに、トーションばねに無理な力を作用させずに
トーションばねの腕部を装置本体に掛止させることができる記録媒体駆動装置の開閉ドア
装置が、特許文献１に開示されている。これは、ドアの両側部が装置本体側に回動自在に
軸支されており、トーションばねが２本の腕部でドアを前後から挟むようにしてドアに装
着され、２本の腕部は共にドアの一方の側部から外方へ突出するように折り曲げられてお
り、装置本体側には、ドアの側部から突出する２本の腕部の対向内側を支持する支持部が
設けられている構成としている。
【０００６】
また、ディスクカートリッジの装置内への挿脱が自在で且つ塵埃侵入等の不都合を解消
しうるとともに、装置全体の小型化を可能としたディスク装置が、特許文献２に開示され
ている。これは、装置本体の開口部に、開口部を閉塞する面積を有し且つ開口部の内側及
び外側の各方向に向けて回動自在に一端部が装備されたシャッタプレート（ドアに相当）
と、このシャッタプレートに係合されシャッタプレートに閉塞位置への元位置復帰力を常
時付勢する弾性部材としてのバネとを装備する構成としている。
【特許文献１】特開２０００−３３１４７０号公報
【特許文献２】特開平８−２０３２５８号公報
【発明の開示】
【発明が解決しようとする課題】
【０００７】
しかしながら、上述したような、ドアを閉方向に付勢するためにバネ部材を用いる従来
の構成では、組立作業に手間がかかることにより装置製造時の作業性が悪くなり、またバ
ネ部材等の部品が必要となることによりコストアップとなる。さらに、ドアをバネ部材に
より閉方向に付勢する構成において、ドアを回動可能に軸支するその軸方向にもドアが付
勢される場合がある。これは、例えば上記特許文献１のようにトーションばね（ねじりコ
イルバネ）を用いたとき等に顕著に見られる。この場合、正面から見たときにドアが左右
何れかに偏って位置することとなり、外観上の見栄えが悪くなるとともに、軸部等におい
て摺動による摩耗が生じるおそれがある。
【０００８】
本発明は、以上のような問題点に鑑み、簡単な構成で、部品点数を削減し且つ作業効率
を向上させ、さらにはドアの左右方向の偏りを解消した、記録媒体駆動装置の開閉ドア機
構を提供することを目的とする。
【課題を解決するための手段】
【０００９】
上記目的を達成するために、本発明では、記録媒体を駆動して情報の記録／再生を行う
記録媒体駆動装置の、本体側のパネルに形成された記録媒体の出入口をドアにより開閉す
る、記録媒体駆動装置の開閉ドア機構において、前記ドアの回転軸の周りに、これを取り
囲むようにして設けたリブを備え、そのリブの外周面で前記パネルの裏面を押圧すること
により、前記ドアを閉じる方向に付勢してなることを特徴とする。
【００１０】
また、前記ドアの開き角が大きくなるほど前記リブの撓みが大きくなるようにしたこと
を特徴とする請求項２に記載の記録媒体駆動装置の開閉ドア機構。さらに、前記リブを円
弧状に設け、前記ドアの開き角が大きくなるほど前記リブの円弧の中心が前記パネルに近
づくようにしたことを特徴とする。
【００１１】
その他、前記リブは前記ドア及び前記回転軸と一体成形されてなることを特徴とする。
【発明の効果】
【００１２】
本発明によれば、簡単な構成で、部品点数を削減し且つ作業効率を向上させ、さらには
ドアの左右方向の偏りを解消した、記録媒体駆動装置の開閉ドア機構を提供することがで
きる。
【００１３】
具体的には、ドアの回転軸の周りに、これを取り囲むようにして設けたリブを備え、そ
のリブの外周面でパネルの裏面を押圧することにより、ドアを閉じる方向に付勢してなる
構成とすることで、バネ部材等を用いた場合等と比較して、組立作業が簡略化されるとと
もに、ドアの左右方向の偏りが解消される。
【００１４】
また、ドアの開き角が大きくなるほどリブの撓みが大きくなる構成とすることにより、
ドアの付勢力も増加するので、ドアが確実に閉方向に付勢される。
【００１５】
さらに、リブを円弧状に設け、ドアの開き角が大きくなるほどリブの円弧の中心がパネ
ルに近づく構成とすることにより、ドアの付勢力が徐々に増加するので、ドアの開閉動作
がスムーズとなる。
【００１６】
その他、リブがドア及び回転軸と一体成形されてなる構成とすることにより、バネ部材
等の別部品が不用となり、組立作業が簡略化されて装置製造時の作業性が向上するととも
に、コストダウンが可能となる。
【発明を実施するための最良の形態】
【００１７】
以下、本発明の実施の形態について、図面を参照しながら説明する。
【実施例１】
【００１８】
図１は、本発明の実施例１に係る開閉ドア機構が設けられたＤＶＤプレーヤのフロント
パネルを示す正面図である。同図において、本実施例に係る開閉ドア機構が設けられたＤ
ＶＤプレーヤ１は、正面にフロントパネル２が設けられており、主としてこのフロントパ
ネル２側から操作可能となっている。フロントパネル２の正面中央部には、記録媒体であ
るＤＶＤを挿入，排出する出入口３が、正面視横長の長方形状で開口しており、出入口３
にはこれを開閉するドア４が設けられている。また、フロントパネル２の表面には、各種
の操作を行う操作ボタン群５や、リモコンの受光部等が配設されている。さらに、図示し
ないが、ＤＶＤプレーヤ１の内部には、ＤＶＤの駆動機構や各種電子回路等が内蔵されて
いる。
【００１９】
図２は、本実施例に係る開閉ドア機構が設けられたＤＶＤプレーヤのドアを模式的に示
す裏面側斜視図である。同図に示すように、ドア４はその裏面左右端付近それぞれより、
後方から下方にかけて側面視略コの字状の支持体４ａが延びており、左右の各支持体４ａ
の下端部より回転軸４ｂがそれぞれ左右方向に突設している。この回転軸４ｂは、ここで
は図示しないが、フロントパネル２の裏面より突設する軸受部２ａ（後述）に軸支されて
おり、回転軸４ｂを中心としてドア４が回動することにより、フロントパネル２に開口す
る上記出入口３を開閉する構成となっている。なお、支持体４ａが略コの字状となってい
るのは、ドア４が開いたときにコの字状の凹部にフロントパネル２が入り込むようにして
、フロントパネル２が支持体４ａに当接しないようにするためである。
【００２０】
さらに、ドア４右側の支持体４ａには、回転軸４ｂの周りにこの上半分を取り囲むよう
にして、円弧状に湾曲したリブ４ｃが設けられている。リブ４ｃは、その後端が回転軸４
ｂの後方において支持体４ａに固定されており、その前端は回転軸４ｂの前方まで延びる
遊離端となっている。また、リブ４ｃは支持体４ａ，回転軸４ｂと共にドア４と一体で樹
脂成形されている。成形される樹脂材料は、リブ４ｃによりドア４を閉方向に付勢可能な
ように、弾力性のあるものが用いられる。なお、同図ではリブ４ｃをドア４の右側に設け
た構成を示しているが、これに限定されるわけではなく、ドア４の左側に設けても良いし
、また両側に設けても良い。
【００２１】
図３は、本実施例に係る開閉ドア機構のドアを模式的に示す右側面図である。同図では
ドアが閉じた状態における姿勢を示している。同図に示すように、また上述したように、
ドア４右側の支持体４ａには、回転軸４ｂの周りにこの上半分を取り囲むようにして円弧
状に湾曲したリブ４ｃが設けられている。リブ４ｃの円弧の中心Ｏは、回転軸４ｂの斜め
上後方に位置している。このようなリブ４ｃの弾力性により、上記フロントパネル２の裏
面を押圧し、その反作用によりドア４を閉じる方向に付勢する。詳しくは後述する。
【００２２】
図４は、ドアが開閉するときの状態を模式的に示す右側面図である。同図（ａ）はドア
が閉じた状態、同図（ｂ）はドアが開いた状態をそれぞれ示している。同図に示すように
、ドア４の回転軸４ｂは、フロントパネル２の裏面より突設する軸受部２ａに軸支されて
おり、回転軸４ｂを中心としてドア４が回動することにより、フロントパネル２に開口す
る出入口３を開閉する構成となっている。なお、同図では軸受部２ａと重なった支持体４
ａ及びリブ４ｃの部分も透視した状態で描いてある。
【００２３】
さて、同図（ａ）に示すように、ドア４が閉じた状態では、リブ４ｃの先端部外周面が
フロントパネル２の裏面に当接して、リブ４ｃが後方に少し撓んだ状態となっている。こ
の状態ではリブ４ｃによりドア４が閉じる方向に少し付勢されている。この状態から、デ
ィスクを出し入れする場合は、後述するトレイに押されてドア４が回転軸４ｂを中心とし
て図中の矢印で示すように左回転する。そして、ドア４が開いて行くと、これに伴い円弧
の中心Ｏが、回転軸４ｂの上側に位置しつつ、フロントパネル２に近づいて行く。
【００２４】
これにより、リブ４ｃの撓み量が増加し、リブ４ｃの外周面がフロントパネル２の裏面
を徐々に強く圧迫して行くので、その反作用によりドア４が閉じる方向に付勢される力も
増加して行く。そして、同図（ｂ）に示すように、ディスクを載置するトレイ６が、ＤＶ
Ｄプレーヤ１内からドア４を押し開き、出入口３を経て延伸すると、ドア４が最大に開い
た状態となり、このときリブ４ｃの撓み量も最大となって、ドア４が閉じる方向に付勢さ
れる力も最大となる。この構成により、ドア４は常時閉じる方向に確実に付勢される。
【００２５】
なお、リブ４ｃの円弧の中心Ｏは、必ずしも図３に示したように回転軸４ｂの斜め上後
方に位置している必要はなく、例えば回転軸４ｂの直上でも良い。つまり、ドア４が開い
て行くにつれて円弧の中心Ｏがフロントパネル２に近づいて行き、リブ４ｃの撓み量が増
加して行く構成、即ちドアの開き角が大きくなるほどリブの撓みが大きくなる構成であれ
ば良い。
【００２６】
また、リブ４ｃは必ずしも円弧状である必要はなく、外周面がフロントパネル２の裏面
に当接するように湾曲した形状であり、ドア４が開いて行くにつれてリブ４ｃの撓み量が
増加して行く構成であれば良い。その他、リブ４ｃの外周面とフロントパネル２の裏面と
が摺動する際に生じる摩耗を低減するために、各面若しくは何れかの面が滑らかな状態に
なっていれば尚良い。
【００２７】
以上説明したように、本発明によれば、ドア４を閉じる方向に付勢するために、ドア４
に一体成形されたリブ４ｃを用いているので、バネ部材等の別部品が不用となり、組立作
業が簡略化されて装置製造時の作業性が向上するとともに、コストダウンが可能となる。
さらに、ドア４が回転軸方向に付勢されることがなくなるので、正面から見たときにドア
が左右何れかに偏って位置することがなくなる。
【産業上の利用可能性】
【００２８】
実施形態では本発明をＤＶＤプレーヤに適用した例を示したが、これに限定されるわけ
では勿論なく、ＣＤプレーヤやＭＤレコーダ等のオーディオ機器、その他ビデオ機器やパ
ソコン等の情報機器等、記録媒体の出入口を開閉する機構として本発明は種々適用可能で
ある。
【図面の簡単な説明】
【００２９】
【図１】本発明の実施例１に係る開閉ドア機構が設けられたＤＶＤプレーヤのフロントパネルを示す正面図。
【図２】本実施例に係る開閉ドア機構が設けられたＤＶＤプレーヤのドアを模式的に示す裏面側斜視図。
【図３】本実施例に係る開閉ドア機構のドアを模式的に示す右側面図。
【図４】ドアが開閉するときの状態を模式的に示す右側面図。
【符号の説明】
【００３０】
１    ＤＶＤプレーヤ
２    フロントパネル
２ａ    軸受部
３    出入口
４    ドア
４ａ    支持体
４ｂ    回転軸
４ｃ    リブ
５    操作ボタン群
６    トレイ
【図１】
2006054023.tif 000003
【図２】
2006054023.tif 000004
【図３】
2006054023.tif 000005
【図４】
2006054023.tif 000006